(57)【要約】      （修正有）【課題】集中豪雨等による洪水等が発生し、ドア全体に高い水圧が作用した場合であっても、水が住宅の内側に流入することを有効に防止することができるドア用建具等を提供する。【解決手段】水密材５は、水密材嵌合用凹溝２３ｃ内に嵌入される脚部５２と、中空状に成形された中空部Ｘを備え、ドア本体により枠体の内側に形成された開口が閉塞され水密材５が圧縮された際には、水密材５はドア本体に密着する。水密材嵌合用凹溝２３ｃ内には、それぞれシーリング材６が充填されている。【選択図】図４
2020148061.tif 000002
【特許請求の範囲】
【請求項１】
住宅に配置され内側に長方形状の開口を有する複数の枠体と、これらの枠体に蝶番を介して回動自在に接続され上記開口を閉塞する開閉体と、を備えた開閉機能付き建具であって、
上記各枠体には、上記開口が開閉体により閉塞された際に該開閉体の上面、下面、左側面又は右側面に対向する対向面と、この対向面から上記開口側に起立しそれぞれ室外側に背面を有する対向板部が形成され、
上記各対向板部の背面には、互いに連通した水密材嵌合用凹溝がそれぞれ形成され、
上記連通した水密材嵌合用凹溝には、可撓性材料により一体成形された水密材がそれぞれ装着され、又は上記連通した水密材嵌合用凹溝には、可撓性材料により一体成形された単一の水密材が装着されてなり、
これらの水密材又は上記単一の水密材は、上記水密材嵌合用凹溝内に嵌入される脚部と、この脚部に連続してなり上記水密材嵌合用凹溝の室外側に露出してなるとともに中空状に成形された中空部と、を備えてなるとともに、
上記それぞれの水密材又は上記単一の水密材の両端は互いに接着又は溶着され、上記中空部は密閉空間とされてなることを特徴とする開閉機能付き建具。
【請求項２】
前記それぞれの水密材嵌合用凹溝内には、シーリング材が充填されてなることを特徴とする請求項１の開閉機能付き建具。
【請求項３】
前記各枠体には、前記開閉体により前記開口が閉塞された際に該開閉体の上面、下面、左側面又は右側面の何れかに対向する対向面を有し、前記対向板部は、この対向面に基端を有してなるとともに、
この対向板部に形成された前記水密材嵌合用凹溝の全部又は一部は、該対向板部の背面から室外側に突出してなるとともに、この水密材嵌合用凹溝の側面と上記対向面との間には、上記水密材嵌合用凹溝が上記対向板部の背面から突出した長さに略等しい肉厚を有する板状の水密板が貼付されてなる一方、
前記それぞれの水密材又は単一の水密材は、前記脚部の先端が裏面に連続し室外側の面の一部は前記中空部を形成してなる底板部を備え、この底板部には上記対向面側に延長された延長板部を有し、この延長板部の下面には、上記水密板の上面に貼付されてなることを特徴とする請求項１記載の開閉機能付き建具。
【請求項４】
前記請求項１，２又は３記載の何れかの開閉機能付き建具を備えてなることを特徴とする住宅。
【発明の詳細な説明】
【技術分野】
【０００１】
本発明は、例えば、住宅の勝手口として人が出入り可能に使用される勝手口用建具や、開閉操作されるガラス窓等を備えた窓用建具等のように、開閉操作されるドア又はガラス窓等のように開閉機能を有する開閉機能付き建具及びこの開閉機能付き建具を備えた住宅に関し、特に、上記開閉体が支持される枠体と開閉体との間における水密性が向上された開閉機能付き建具及びこの開閉機能付き建具を備えた住宅に関するものである。
【背景技術】
【０００２】
近年、台風による大雨や集中豪雨等により洪水が発生し或いは津波の発生により、住宅に大きな被害が発生する場合が多いが、こうした洪水等の発生に伴って、住宅に設けられた勝手口やガラス窓等から室内に水が流入し、この結果、床上浸水等の事態を引き起こす場合が多い。特に、上記勝手口として使用される勝手口用建具や、開閉操作されるガラス窓等のように、枠体とこの枠体に支持された開閉体が開閉操作される建具において、該枠体と開閉体との間に形成された僅かな隙間から、室外側から水が室内側に流入する危険性が高い。
【０００３】
そこで従来では、こうした洪水等の発生に伴う水の流入を防止するために、以下の説明する技術が提案されている。例えば、特開２０１２−９２５６３号公報（特許文献１）には、所定構造の気密材や、この気密材が取り付けられた枠体と開閉体とからなる建具が開示されている。上記気密材は、枠体又は開閉体に取り付けるための取付部と、この取付部に設けられた気密片と、ストッパーと、を備えたものであり、上記気密片は略くの字形状に屈曲されてなり、その先片が開閉体又は枠体に接したときには気密姿勢となり、この気密姿勢よりも更に弾性変形するとストッパーに当接してそれ以上の弾性変形を規制し、戸当りとしての十分な機能を有するようにしたものである。また、特開平８−２６０８２６号公報（特許文献２）には、枠体に形成された取付部に、発泡弾性材を素材とするシール材を取り付け、このシール材の先端を外壁に圧接させることにより、防水性や気密性を図るものが開示されている。
【先行技術文献】
【特許文献】
【０００４】
【特許文献１】特開２０１２−９２５６３号公報
【特許文献２】特開平８−  ２６０８２６号公報
【発明の概要】
【発明が解決しようとする課題】
【０００５】
しかしながら、上記特許文献１や特許文献２にそれぞれ開示されたものは、高い水圧が作用した場合には、上記気密材又はシール材とこれらが取り付けられた部位との間から水が侵入し、ひいては室内側に流入する危険性があり、気密性以上に要求される十分な水密性を確保することは期待できない。
【０００６】
そこで、本発明は、集中豪雨等による洪水等が発生し、上記開閉体を備えた建具に対して高い水圧が作用した場合であっても、漏水を招くことがなく、より水密性の高い開閉機能付き建具及びこの開閉機能付き建具を備えた住宅を提供することを目的とするものである。
【課題を解決するための手段】
【０００７】
本発明は、上記課題を解決するために提案されたものであって、第１の発明（請求項１記載の発明）は、開閉機能付き建具に係るものであって、住宅に配置され内側に長方形状の開口を有する複数の枠体と、これらの枠体に蝶番を介して回動自在に接続され上記開口を閉塞する開閉体と、を備えた開閉機能付き建具であって、上記各枠体には、上記開口が開閉体により閉塞された際に該開閉体の上面、下面、左側面又は右側面に対向する対向面と、この対向面から上記開口側に起立しそれぞれ室外側に背面を有する対向板部が形成され、上記各対向板部の背面には、互いに連通した水密材嵌合用凹溝がそれぞれ形成され、
上記連通した水密材嵌合用凹溝には、可撓性材料により一体成形された水密材がそれぞれ装着され、又は上記連通した水密材嵌合用凹溝には、可撓性材料により一体成形された単一の水密材が装着されてなり、これらの水密材又は上記単一の水密材は、上記水密材嵌合用凹溝内に嵌入される脚部と、この脚部に連続してなり上記水密材嵌合用凹溝の室外側に露出してなるとともに中空状に成形された中空部と、を備えてなるとともに、上記それぞれの水密材又は上記単一の水密材の両端は互いに接着又は溶着され、上記中空部は密閉空間とされてなることを特徴とするものである。
【０００８】
この第１の発明に係る開閉機能付き建具では、上記開閉体により上記開口が閉塞され、上記水密材が圧縮された際には、上記中空部は変形され、この変形された水密材により、室外側から流入した水は止水され、それ以上室内側に流入することが防止される。特に、この発明では、上記それぞれの水密材又は単一の水密材を構成する中空部は密閉空間とされてなるものであることから、上記開閉体により開口が閉塞され、該開閉体の背面と対向板部との間において上記水密材が圧縮された際には、該中空部は高い弾性力を有した状態で、該開閉体の背面と対向板部に圧接されることから、一層水密性を向上させることができる。
【０００９】
なお、この発明では、上述したように、上記各枠体に形成された水密材嵌合用凹溝のそれぞれに１つの水密材が装着されたものであっても良いし、互いに連通する該水密材嵌合用凹溝の全体に単一の水密材が装着されたものであっても良い。
【００１０】
また、第２の発明（請求項２記載の発明）は、上記第１の発明において、前記それぞれの水密材嵌合用凹溝内には、シーリング材が充填されてなることを特徴とするものである。
【００１１】
この第２の発明に係る開閉機能付き建具では、上記シーリング材がそれぞれの水密材嵌合用凹溝内に充填されていることから、集中豪雨等による洪水等が発生し、ドア全体に高い水圧が作用した場合、水が上記水密材嵌合用凹溝を通過して（上記水密材の脚部の下から水が回り込んで）室内に漏出することがなく、更に水密性を図ることができる。
【００１２】
また、第３の発明（請求項３記載の発明）は、上記第１の発明において、前記各枠体には、前記開閉体により前記開口が閉塞された際に該開閉体の上面、下面、左側面又は右側面の何れかに対向する対向面を有し、前記対向板部は、この対向面に基端を有してなるとともに、この対向板部に形成された前記水密材嵌合用凹溝の全部又は一部は、該対向板部の背面から室外側に突出してなるとともに、この水密材嵌合用凹溝の側面と上記対向面との間には、上記水密材嵌合用凹溝が上記対向板部の背面から突出した長さに略等しい肉厚を有する板状の水密板が貼付されてなる一方、前記それぞれの水密材又は単一の水密材は、前記脚部の先端が裏面に連続し室外側の面の一部は前記中空部を形成してなる底板部を備え、この底板部には上記対向面側に延長された延長板部を有し、この延長板部の下面には、上記水密板の上面に貼付されてなることを特徴とするものである。
【００１３】
この第３の発明に係る開閉機能付き建具では、上記対向板部の背面（室外側の面）には、板状の水密板が貼付されている。この水密板の肉厚は、上記対向板部の背面（室外側の面）から室外側に突出した上記水密材嵌合用凹溝の高さに等しい肉厚を有するものであり、したがって該水密材嵌合用凹溝の室外側の端部の位置と、上記水密板の背面（室外側の面）の位置とは同じものとされている。そして、上記それぞれの水密材又は単一の水密材には上記底板部を備え、この底板部には上記対向面側に延長された延長板部を有しているとともに、この延長板部の下面（室内側の面）は上記水密板の背面に貼付されている。すなわち、上記水密材嵌合用凹溝の側方は、上記延長板部と水密板とにより塞がれており、これらによって水は、該水密材嵌合用凹溝内に流入する隙間が存在しない。したがって、この第３の発明に係る開閉機能付き建具によれば、上記水密材嵌合用凹溝内にシーリング材が充填されていなくとも、水が上記水密材嵌合用凹溝を通過して室内に漏出することはなく、また、該水密材嵌合用凹溝内にシーリング材を充填する作業も不要となる。
【００１４】
また、第４の発明（請求項４記載の発明）は、住宅に係るものであって、上記第１、第２又は第３の何れかの発明に係る開閉機能付き建具を備えてなることを特徴とするものである。
【発明の効果】
【００１５】
上記第１の発明（請求項１記載の発明）に係る開閉機能付き建具や第４の発明（請求項４記載の発明）に係る住宅によれば、上記変形された水密材により、室外側から流入した水は止水され、それ以上室内側に流入することが防止され、特に、この発明では、上記それぞれの水密材又は単一の水密材を構成する中空部は密閉空間とされてなるものであることから、上記開閉体により開口が閉塞され、該開閉体の背面と対向板部との間において上記水密材が圧縮された際には、該中空部は高い弾性力を有した状態で、該開閉体の背面と対向板部に圧接されることから、一層水密性を向上させることができる。
【００１６】
また、第２の発明（請求項２記載の発明）に係る開閉機能付き建具によれば、シーリング材の充填により、水が上記水密材嵌合用凹溝を通過して（上記水密材の脚部の下から水が回り込んで）室内に漏出することがなく、更に水密性を図ることができる。
【００１７】
また、第３の発明（請求項３記載の発明）係る開閉機能付き建具によれば、上記水密板と延長板部とにより、上記水密材嵌合用凹溝内にシーリング材が充填されていなくとも、水が上記水密材嵌合用凹溝を通過して（上記水密材の脚部の下から水が回り込んで）室内に漏出することはなく、また、該水密材嵌合用凹溝内にシーリング材を充填する作業も不要となる。
【図面の簡単な説明】
【００１８】
【図１】第１の実施の形態に係る勝手口用建具を示す正面図である。
【図２】図１のＡ−Ａ線断面図であり、一部省略し且つ拡大した断面図である。
【図３】図１のＢ−Ｂ線断面図であり、一部省略し且つ拡大した断面図である。
【図４】水密材嵌合用凹溝に装着された水密材を拡大して示す断面図である。
【図５】水の侵入状態を示す断面図である。
【図６】他の例に係る水密材と水密板とを構成要素とした変形例を示す断面図である。
【図７】図６に示す変形例に係る水の侵入状態を示す断面図である。
【図８】連窓用建具を示す正面図である。
【発明を実施するための形態】
【００１９】
以下、本発明を実施するための最良の形態に係る開閉機能付き建具について説明する。先ず、本発明に係る開閉機能付き建具を勝手口用建具に適用した実施の形態を、図面を参照しながら詳細に説明する。
【００２０】
この勝手口用建具１は、図示しない住宅の勝手口に施工されるものであり、該勝手口用建具１を室内側から表した図１に示すように、勝手口に配置される枠体２と、この枠体２に複数の蝶番３（図３参照）を介して回動可能に連結された勝手口用のドア本体４と、を備えたものである。
【００２１】
上記枠体２は、図示しない住宅に平行に固定された上枠２１と、この上枠２１の下方であって該上枠２１に平行に固定された下枠２２と、上端側の右側は上記上枠２１の左端に固定され下端側の右側は上記下枠２２の左端に固定され、垂直方向に長さを有する左枠２３と、上端側の左側は上記上枠２１の右端に固定され下端側の左側は上記下枠２２の右端に固定され、上記左枠２３に平行に固定された右枠２４とから構成されている。すなわち、この勝手口用建具１は、上記上枠２１、下枠２２、左枠２３及び右枠２４からなる上記枠体２を備えてなるとともに、該枠体２の内側には開口（符号は省略する。）が形成され、この開口は、上記複数の蝶番３を介して該枠体２に連結されたドア本体４により開閉されるように構成されている。上記上枠２１、下枠２２、左枠２３及び右枠２４は、それぞれアルミニウム又は硬質塩化ビニル系樹脂を素材としてなるものであって、図２又は図３に示すように、それぞれ中空状に成形されている。
【００２２】
そして、上記上枠２１は、図２中上側に示すように、中空状であり且つ外形形状が略直方体状に成形されてなるものであり、下面は上記ドア本体４（を構成するドア側上枠４１）の上面に対向する対向面２１ａとされ、この対向面２１ａの室内側（図２中右側）には、該対向面２１ａから垂下してなる対向板部２１ｂが形成されている。この対向板部２１ｂは、上記ドア本体４（を構成するドア側上枠４１）の上側正面（室内側の面）に対向してなる部位である。そして、この対向板部２１ｂの背面（室外側の面）であって上記対向面２１ａよりもやや下方には、本発明を構成する水密材嵌合用凹溝２１ｃが形成されている。なお、上記対向板部２１ｂは、上記対向面２１ａの室内側から下方に向かって垂下し内部は中空状に成形された垂下中空部（符号は省略する。）に形成されたものであって、この垂下中空部は、この上枠２１の室内側に形成された正面から垂下してなる正面上板部２１ｄと、この正面上板部２１ｄに対向してなる上記対向板部２１ｂと、上記正面上板部２１ｄと対向板部２１ｂとの間をそれぞれ下端で閉塞する底板部２１ｅとから構成されている。そして、上記水密材嵌合用凹溝２１ｃは、後述するドア本体４を構成するドア側上枠４１の正面の上端側に対向する位置に形成されており、この水密材嵌合用凹溝２１ｃには、後述する水密材５が装着されている。
【００２３】
また、上記下枠２２は、図２中下側に示すように、中空状であり且つ外形形状が略直方体状に成形されてなるものであり、上面は上記ドア本体４（を構成するドア側下枠４２）の下面に対向する対向面２２ａとされ、この対向面２２ａの室内側（図２中右側）には、該対向面２２ａから起立してなる対向板部２２ｂが形成されている。この対向板部２２ｂは、上記ドア本体４（を構成するドア側下枠４２）の下側正面に対向してなる部位である。そして、この対向板部２２ｂの背面であって上記対向面２２ａよりもやや上方には、本発明を構成する水密材嵌合用凹溝２２ｃが形成されている。なお、上記対向板部２２ｂは、上記対向面２２ａの室内側から上方に向かって起立し内部は中空状に成形された起立中空部（符号は省略する。）に形成されたものであって、この起立中空部は、この下枠２２の室内側に形成された正面から起立してなる正面下板部２２ｄと、この正面下板部２２ｄに対向してなる上記対向板部２２ｂと、上記正面下板部２２ｄと対向板部２２ｂとの間をそれぞれの上端で閉塞する天板部２２ｅとから構成されている。そして、上記水密材嵌合用凹溝２２ｃは、後述するドア本体４を構成するドア側下枠４２の正面（室内側の面）の下端側に対向する位置に形成されており、この水密材嵌合用凹溝２２ｃには、後述する水密材５が装着されている。
【００２４】
また、上記左枠２３は、図３中左側に示すように、中空状であり且つ外形形状が略直方体状に成形されてなるものであり、上面は上記ドア本体４（を構成するドア側左枠４３）の右側面に対向する対向面２３ａとされ、この対向面２３ａの室内側（図３中下側）には、該対向面２３ａから右側に起立してなる対向板部２３ｂが形成されている。この対向板部２３ｂは、上記ドア本体４（を構成するドア側左枠４３）の左側正面に対向してなる部位である。そして、この対向板部２３ｂの背面であって上記対向面２３ａよりもやや右側には、本発明を構成する水密材嵌合用凹溝２３ｃが形成されている。なお、上記対向板部２３ｂは、上記対向面２３ａの室内側から右側に向かって起立し内部は中空状に成形された起立中空部（符号は省略する。）に形成されたものであって、この起立中空部は、この左枠２３の室内側に形成された正面から右側に起立してなる正面左板部２３ｄと、この正面左板部２３ｄに対向してなる上記対向板部２３ｂと、上記正面左板部２３ｄと対向板部２３ｂとの間をそれぞれの右端で閉塞する右側板部２３ｅとから構成されている。そして、上記水密材嵌合用凹溝２３ｃは、後述するドア本体４を構成するドア側左枠４３の正面の左端側に対向する位置に形成されており、この水密材嵌合用凹溝２３ｃには、後述する水密材５が装着されている。
【００２５】
また、上記右枠２４は、図３中右側に示すように、中空状であり且つ外形形状が略直方体状に成形されてなるものであり、左面は上記ドア本体４（を構成するドア側右枠４４）の右側面に対向する対向面２４ａとされ、この対向面２４ａの室内側（図３中下側）には、該対向面２４ａから左側に起立してなる対向板部２４ｂが形成されている。この対向板部２４ｂは、上記ドア本体４（を構成するドア側右枠４４）の右側正面に対向してなる部位である。そして、この対向板部２４ｂの背面であって上記対向面２４ａよりもやや左側には、本発明を構成する水密材嵌合用凹溝２４ｃが形成されている。なお、上記対向板部２４ｂは、上記対向面２４ａの室内側から左側に向かって起立し内部は中空状に成形された起立中空部（符号は省略する。）に形成されたものであって、この起立中空部は、この右枠２４の室内側に形成された正面から左側に起立してなる正面右板部２４ｄと、この正面右板部２４ｄに対向してなる上記対向板部２４ｂと、上記正面右板部２４ｄと対向板部２４ｂとの間をそれぞれの左端で閉塞する左側板部２４ｅとから構成されている。そして、上記水密材嵌合用凹溝２４ｃは、後述するドア本体４を構成するドア側右枠４４の正面の左端側に対向する位置に形成されており、この水密材嵌合用凹溝２４ｃには、後述する水密材５が装着されている。
【００２６】
以下、上記それぞれ水密材嵌合用凹溝２１ｃ，２２ｃ，２３ｃ，２４ｃの構成と、上記水密材５の構成について、図４を参照しながら説明する。なお、この図４は、上記左枠２３に形成にされた上記水密材嵌合用凹溝２３ｃに上記水密材５が装着された状態を拡大して示すものである。上記水密材嵌合用凹溝２３ｃ（上記水密材嵌合用凹溝２１ｃ，２２ｃ，２４ｃも同様）は、室外側に開口を有する凹溝であって、この左枠２３を含めた枠体２の内側に形成された開口側に形成され、一部は上記右側板部２３ｅに連続してなり室外側に起立してなる一方の起立板部２３ｆと、この一方の起立板部２３ｆに対向してなり、先端側中途部は上記対向板部２３ｂの背面（室外側の面）よりもやや室外側に起立してなり上記一方の起立板部２３ｆと対称形状に成形された他方の起立板部２３ｇと、上記一方の起立板部２３ｆの先端から上記対向面２３ａ側に折曲された一方の折曲板部２３ｈと、上記他方の起立板部２３ｇの先端から上記一方の折曲板部２３ｈの先端に接近する方向に折曲された他方の折曲板部２３ｉと、を有し、上記一方の起立板部２３ｆと他方の起立板部２３ｇとの間の間隔よりも上記一方の折曲板部２３ｈの先端と他方の折曲板部２３ｉの先端との間隔が狭いものとされている。そして、上記それぞれ水密材嵌合用凹溝２１ｃ，２２ｃ，２４ｃは、上記左枠２３に形成にされた上記水密材嵌合用凹溝２３ｃと同じ形状として、上記上枠２１、下枠２２、右枠２４にそれぞれ成形されている。また、上記上枠２１、下枠２２、左枠２３及び右枠２４がそれぞれ連結され枠体２として組み立てられた際には、上記それぞれの水密材嵌合用凹溝２１ｃ，２２ｃ，２３ｃ，２４ｃは、互いに連通した状態とされている。なお、上記水密材嵌合用凹溝２１ｃ，２２ｃ，２３ｃ，２４ｃ内には、やや液状とされたシーリング材６が充填されている。
【００２７】
そして、上記互いに連通した水密材嵌合用凹溝２１ｃ，２２ｃ，２３ｃ，２４ｃには、単一の水密材５が装着されている。すなわち、上記水密材嵌合用凹溝２１ｃ，２２ｃ，２３ｃ，２４ｃ内には、単一の水密材５の一部が装着されている。この水密材５は、ゴム又は可撓性を有する合成樹脂又は発泡樹脂により一体成形されてなるものであり、その両端は溶着されている。そして、この水密材５は、図４に示すように、上記水密材嵌合用凹溝２３ｃ（水密材嵌合用凹溝２１ｃ，２２ｃ，２４ｃ）を構成する一方及び他方の折曲板部２３ｈ，２３ｉの室外側の面に下面が当接し、該互いに対向する一方及び他方の折曲板部２３ｈ，２３ｉの先端により形成された開口を閉塞する底板部５１と、この底板部５１の室内側の面とは反対方向の面と基端が一体化され上記一方の起立板部２３ｆと他方の起立板部２３ｇとにより形成された水密材嵌合用凹溝２３ｃ内に圧入された脚部５２と、上記底板部５１の一側に基端を有し全体形状が逆くの字状に成形された一方の側板部５３と、上記底板部５１の他側に基端を有し全体形状がくの字状に成形され先端は上記一方の側板部５３の先端側中途部に連続してなる他方の側板部５４と、から構成されている。そして、上記一方の側板部５３と他方の側板部５４とにより、本発明を構成する中空部Ｘが形成されている。なお、上記底板部５１及び脚部５２の素材は、上記一方及び他方の側板部５３，５４よりもやや硬質の素材により成形され、また、上記中空部Ｘ内は、上述したように、この水密材５の両端が溶着されていることから、密閉状態とされている。
【００２８】
また、上記勝手口用のドア本体４は、図２又は図３に示すように、上記枠体２の内側に形成された開口が該ドア本体４により閉塞された際において、上記上枠２１の下方に位置するドア側上枠４１と、上記下枠２２の上方に位置するドア側下枠４２と、上記左枠２３の右側に位置するドア側左枠４３と、上記右枠２４の左側に位置するドア側右枠４４と、これらドア側上枠４１、ドア側下枠４２、ドア側左枠４３及びドア側右枠４４の内側に固定され互いに対向してなる内側ガラス板７及び外側ガラス板８、とを備えている。そして、上記ドア側右枠４４の正面（室内側の面）には、このドア本体４の開閉操作を室内側から行う際に把持・操作される一方の把手（ハンドル）９が回動自在に配置され、該ドア側右枠４４の背面（室外側の面）には、図３に示すように、このドア本体４の開閉操作を室外側から行う際に把持・回動される他方の把手（ハンドル）１０が回動自在に配置されている。なお、上記一方及び他方の把手９，１０の上側には、図１に示すように、第１の錠１１ａが、また下側には第２の錠１１ｂがそれぞれ固定されている。また、上記各蝶番３は、図３に示すように、上記左枠２３の室外側の面に複数の皿ネジ１２により固定された方形状の枠側羽根板３１と、この枠側羽根板３１の基端に固定された図示しない下側円筒部と、この下側円筒部の内部に下側が挿入固定され該下側円筒部から上方に突出してなる固定軸３３と、上記ドア本体４を構成するドア側左枠４３に複数のネジ１３により固定された方形状のドア側羽根板３４と、このドア側羽根板３４の基端に固定され上記固定軸３３が下側から内部に挿通され下端は上記下側円筒部の上面に支持された上側円筒管部３５と、から構成されている。したがって、上記ドア本体４は、上記第１又は第２の把手９，１０を把持し、上記固定軸３３を中心に回動操作することができ、上記枠体２の内側に形成された開口は、上記ドア本体４により閉塞される。
【００２９】
なお、この勝手口用建具１では、上記枠体２に形成された開口が上記ドア本体４により閉塞された際において、それぞれ圧縮される単一のドア側水密材１５が該ドア本体４に装着されている。すなわち、図２に示すように、上記ドア側上枠４１の上部には、上記枠体２を構成する上枠２１の背面（室外側の面）に対向し、ドア側水密材嵌合用凹溝４１ｂが形成されたドア側対向板部４１ａが形成され、上記ドア側下枠４２の下部には、上記枠体２を構成する下枠２２の背面（室外側の面）に対向し、ドア側水密材嵌合用凹溝４２ｂが形成されたドア側対向板部４２ａが形成され、また、図３に示すように、上記ドア側左枠４３の室外側には、上記枠体２を構成する左枠２３の正面（室内側の面）に対向し、ドア側水密材嵌合用凹溝４３ｂが形成されたドア側対向板部４３ａが形成され、上記ドア側右枠４４の室外側には、上記枠体２を構成する右枠２４の正面（室内側の面）に対向し、ドア側水密材嵌合用凹溝４４ｂが形成されたドア側対向板部４４ａが形成されている。そして、上記ドア側水密材嵌合用凹溝４１ｂ，４２ｂ，４３ｂ，４４ｂは互いに連通しており、この連通したドア側水密材嵌合用凹溝（符号は省略する。）内には、上記ドア側水密材１５が装着されている。なお、このドア側水密材１５の両端は互いに溶着されている。
【００３０】
したがって、図２又は図３に示す状態（ドア本体４により枠体２の開口が完全に閉塞された状態）において、洪水や津波等の発生により、住宅の外側における水位が上昇した場合であっても、上記枠体２とドア本体４との間の僅かな隙間から住宅内に水が流入することはない。図５は、室外側の水Ｗの水位が、上記下枠２２よりも上方に至った際における水Ｗの侵入状態を示すものである。この図５からも明らかなように、上記下枠２２の対向面２２ａとドア本体４の下面との間に水は侵入するものの、その水Ｗは上記水密材５により完全に止水される。特に、こうした図５に示す状態からさらに水位が上昇し或いは濁流等により、大きな水圧がこのドア用建具１に作用した場合であっても、上記水密材５を構成する中空部Ｘは圧縮され、該中空部Ｘを構成する一方及び他方の側板部５３，５４は、上記ドア本体４を構成するドア側下枠４２の室内側の面に圧接されていることから、依然として僅かな上記隙間から住宅内に水が流入することなくその水密性を十分維持することができる。特に、この実施の形態に係る勝手口用建具１やこの勝手口用建具１を備えた住宅によれば、上記水密材５が圧入された水密材嵌合用凹溝２１ｃ，２２ｃ，２３ｃ，２４ｃ内にはそれぞれシーリング材６が充填されていることから、上記ドア本体４が長期間に亘って開閉操作されたり、上記水密材５が劣化したりする場合であっても、上記水圧によって、（上記脚部５２の下側を水Ｗが回り込んで）該水密材嵌合用凹溝２１ｃ，２２ｃ，２３ｃ，２４ｃ内を水が通過する危険性も有効に解消することができる。
【００３１】
なお、上記実施の形態に係る勝手口用建具１では、上記それぞれの水密材嵌合用凹溝２１ｃ，２２ｃ，２３ｃ，２４ｃ内にはそれぞれシーリング材６が充填されたものを説明したが、例えば、図６に示す構成とし、上記シーリング材６を構成要素としないものであっても良い。
【００３２】
図６は、この勝手口用建具（符号は省略する。）を構成する上記下枠２２の近傍を拡大して示すものである。そして、この勝手口用建具では、上記水密材５を構成する底板部５１の幅を、上記対向板部２２ｂの幅方向に沿って上記対向面２２ａ側に延長する（以下、この延長された部位を延長板部５１ａと言う。）とともに、この延長板部５１ａの下面と対向板部２２ｂとの間には、水密材嵌合用凹溝２２ｃの高さ（対向板部２２ｂの室外側の面から起立した高さ）に略等しい水密板７１が配置されたものである。上記水密板７１は、発砲樹脂からなり可撓性及び弾性を有してなる板体であり、一方の面には上記起立板部２２ｂの室外側の面に接着される接着剤が塗布され、他方の面には上記延長板部５１ａの下面（室内側の面）に接着される接着剤が塗布されてなるものである。言うまでもなく、上記構成は上記下枠２２以外に、上記枠体２を構成する上枠２１、左枠２３及び右枠２４にも同じ構成とされている。
【００３３】
したがって、上述した構成に係る勝手口用建具によれば、図７に示すように、上記下枠２２の対向面２２ａとドア本体４（を構成するドア側下枠４２）の下面との間に水は侵入するものの、その水Ｗは上記水密材５により完全に止水される。特に、上記高い水圧が生じた場合であっても、上記延長板部５１ａと上記水密板７１とにより、上記水密材嵌合用凹溝２２ｃ内に水Ｗが流入する危険性は無い。したがって、こうした構成に係る勝手口用建具によれば、上述したシーリング材６が水密材嵌合用凹溝（符号は省略する。）内に充填されていなくても、水Ｗが該水密材嵌合用凹溝を通過して（上記水密材５の脚部５２の下から水が回り込んで）室内側に漏出することがなく、上記シーリング材６を水密材嵌合用凹溝内に充填する作業も不要となる。
【００３４】
なお、上記実施の形態に係る勝手口用建具１は、本発明に係る開閉機能付き建具を勝手口用建具に適用したものであるが、本発明に係る開閉機能付き建具は、上記勝手口用建具１のように、人が出入りする際に通る開口が開閉体であるドア本体４により開閉される建具ばかりではなく、こうした構成と同じ構成が採用された連窓用建具に採用されたものであっても良い。すなわち、この連窓用建具７５は、図８に示すように、枠体７６と、この枠体７６の左側に回動自在に配置された開閉窓本体７７と、上記枠体７６の右側に固定された固定窓本体７８と、を備えている。なお、上記開閉窓本体７７は、本発明を構成する開閉体である。
【００３５】
上記枠体７６は、上枠７９と、下枠８０と、左枠８１と、右枠８２と、上記開閉窓本体７７と固定窓本体７８との間に配置された仕切り枠８３、とから構成されている。したがって、この連窓用建具７５は、上記仕切り枠８３の左側に形成された左側開口（符号は省略する。）は、上記開閉窓本体７７により開閉自在となされ、該仕切り枠８３の右側に形成された右側開口（符号は省略する。）は、上記固定窓本体７８により閉塞されている。また、上記開閉窓本体７７は、先に、勝手口用建具１において説明したドア本体４と同じように、窓側上枠８４と、窓側下枠８５と、窓側左枠８６と、窓側右枠８７と、を備え、これら窓側上枠８４、窓側下枠８５、窓側左枠８６及び窓側右枠８７により形成された開口（符号は省略する。）は、内側ガラス板８８及び図示しない外側ガラス板により閉塞されている。なお、上記窓側右枠８７の室内側には、上記開閉窓本体７７を開閉操作する際に把持される把手８７ａが配置され、この把手８７ａの上方には、２つの錠８７ｂ，８７ｃが配置されている。また、上記固定窓本体７８は、内側ガラス板８９及びこの内側ガラス板に対向してなる図示しない外側ガラス板から構成されている。
【００３６】
そして、上記枠体７６を構成する上枠７９、下枠８０、左枠８１及び仕切り枠８３には、先に勝手口用建具１の枠体２を構成する上枠２１、下枠２２、左枠２３及び右枠２４にそれぞれ形成された対向面、対向板部、水密材嵌合用凹溝並びに該水密材嵌合用凹溝に装着された各水密材（図２又は図３参照）を備えている。なお、これらの構成は、上記勝手口用建具１と同様であることから説明を省略する。また、この連窓用建具７６においても、図６又は図７に示す延長板部５１ａを備えた底板部５１や、上記水密板７１が配置された構造を備えたものであっても良い。
【００３７】
したがって、上記連窓用建具７５であっても、上記勝手口用建具１と同じように、極めて高い水密性を有するものとなり、また、上記延長板部５１ａを備えた底板部５１や、上記水密板７１が配置された構造を備えたものにあっては、それぞれの水密材嵌合用凹溝内にシーリング材を充填する必要性はなく、より安定した水密性を確保することができる。
【００３８】
上述した勝手口用建具１や連窓用建具の説明からも明らかなように、本発明に係る開閉機能付き建具によれば、集中豪雨等による洪水等が発生し、上記開閉体（ドア本体４又は開閉窓本体７７）を備えた建具に対して高い水圧が作用した場合であっても、漏水を招くことがなく、より水密性の高い開閉機能付き建具及びこの開閉機能付き建具を備えた住宅を提供することができる。
【００３９】
なお、上記勝手口用建具１や連窓用建具は、上記水密材嵌合用凹溝２１ｃ，２２ｃ，２３ｃ，２４ｃ内に単一の水密材５が装着されているものを説明したが、本発明は、上記水密材嵌合用凹溝２１ｃ，２２ｃ，２３ｃ，２４ｃのそれぞれに１つの水密材（符号は省略する。）が装着され、これらの各水密材は、互いに端部において互いに接着され、上記中空部Ｘが密閉空間とされたものであっても良い。
【符号の説明】
【００４０】
１  勝手口用建具
２  枠体
３  蝶番
４  ドア本体
５  水密材
６  シーリング材
２１  上枠
２１ａ  対向面
２１ｂ  対向板部
２１ｃ  水密材嵌合用凹溝
２２  下枠
２２ａ  対向面
２２ｂ  対向板部
２２ｃ  水密材嵌合用凹溝
２３  左枠
２３ａ  対向面
２３ｂ  対向板部
２３ｃ  水密材嵌合用凹溝
２４  右枠
２４ａ  対向面
２４ｂ  対向板部
２４ｃ  水密材嵌合用凹溝
５１  底板部
５１ａ  延長板部
７１  水密板
７５  連窓用建具
７６  枠体
７７  開閉窓本体
７９  上枠
８０  下枠
８１  左枠
８３  仕切り枠
Ｘ  中空部
【図１】
2020148061.tif 000003
【図２】
2020148061.tif 000004
【図３】
2020148061.tif 000005
【図４】
2020148061.tif 000006
【図５】
2020148061.tif 000007
【図６】
2020148061.tif 000008
【図７】
2020148061.tif 000009
【図８】
2020148061.tif 000010